(57)【要約】  【課題】  小型ポンプの騒音を防止して該小型ポンプの性能を向上させる。  【解決手段】  小型ポンプ１の吸気弁部Ｖ１を開閉する吸気弁体８或いは該吸気弁体８の裏面が圧接する揺動体６の上面に、凹溝１９，１９…、２０，２０…、２１，２１…或いは、窪み２２，２２…、２３，２３…を刻設して該吸気弁体８と揺動体６の上面との接触面積を減少させた。そして、該吸気弁体８と揺動体６との密着を防止して該吸気弁体８の開閉時の騒音を減少した。【選択図】なし【特許請求の範囲】
【請求項１】
ケース内にポンプ室を形成する複数のダイヤフラムを備え、且つ、偏心回転軸により揺動される揺動体によって前記ダイヤフラムが上下動されてポンプ動作を行う小型ポンプであって、前記各ダイヤフラムの底部中央部に貫通孔を形成し、更に、該貫通孔に連通する空気導入孔を前記揺動体に開穿すると共に、該貫通孔に吸気弁体を設けて吸気弁部を構成し、更に、前記ケースの上部に排気弁部を備えた小型ポンプに於いて、該揺動体の上面であって、且つ、前記空気導入孔の周辺部近傍の前記吸気弁体との接触面に凹溝を刻設したことを特徴とする小型ポンプ。
【請求項２】
ケース内にポンプ室を形成する複数のダイヤフラムを備え、且つ、偏心回転軸により揺動される揺動体によって前記ダイヤフラムが上下動されてポンプ動作を行う小型ポンプであって、前記各ダイヤフラムの底部中央部に貫通孔を形成し、更に、該貫通孔に連通する空気導入孔を前記揺動体に開穿すると共に、該貫通孔に吸気弁体を設けて吸気弁部を構成し、更に、前記ケースの上部に排気弁部を備えた小型ポンプに於いて、該吸気弁体の裏面であって、且つ、前記空気導入孔の周辺部との接触面に凹溝を刻設したことを特徴とする小型ポンプ。
【請求項３】
前記凹溝を６角以上の多角形に形成したことを特徴とする請求項１又は２記載の小型ポンプ。
【請求項４】
前記凹溝を円形に形成したことを特徴とする請求項１又は２記載の小型ポンプ。
【請求項５】
ケース内にポンプ室を形成する複数のダイヤフラムを備え、且つ、偏心回転軸により揺動される揺動体によって前記ダイヤフラムが上下動されてポンプ動作を行う小型ポンプであって、前記各ダイヤフラムの底部中央部に貫通孔を形成し、更に、該貫通孔に連通する空気導入孔を前記揺動体に開穿すると共に、該貫通孔に吸気弁体を設けて吸気弁部を構成し、更に、前記ケースの上部に排気弁部を備えた小型ポンプに於いて、該揺動体の上面であって、且つ、前記空気導入孔の周辺部近傍の前記吸気弁体との接触面に多数の小径の窪みを規則的に或いは不規則に形成したことを特徴とする小型ポンプ。
【請求項６】
ケース内にポンプ室を形成する複数のダイヤフラムを備え、且つ、偏心回転軸により揺動される揺動体によって前記ダイヤフラムが上下動されてポンプ動作を行う小型ポンプであって、前記各ダイヤフラムの底部中央部に貫通孔を形成し、更に、該貫通孔に連通する空気導入孔を前記揺動体に開穿すると共に、該貫通孔に吸気弁体を設けて吸気弁部を構成し、更に、前記ケースの上部に排気弁部を備えた小型ポンプに於いて、該吸気弁体の裏面に多数の小径の窪みを規則的に或いは不規則に形成したことを特徴とする小型ポンプ。
【発明の詳細な説明】
【技術分野】
【０００１】
本発明は、血圧計等に用いられる小型ポンプに関するものであり、特に、騒音を防止した小型ポンプに関するものである。
【背景技術】
【０００２】
従来の此種小型ポンプはケース内にポンプ室が形成され、該ポンプ室は複数のダイヤフラムにより形成され、且つ、各ダイヤフラムは互いに一体に連結されている。又、該ダイヤフラムの下方には、該ダイヤフラムの下面を上下動させる揺動体が配設されている。
【０００３】
更に、該ダイヤフラムの下面中央部には夫々貫通孔が開穿されており、且つ、該ダイヤフラムの下面には該貫通孔を開穿する吸気弁体が一体成形されている。一方、前記揺動体の周縁部近傍には、該ダイヤフラムの貫通孔に連通する空気導入孔が開穿されると共に、該揺動体に夫々のダイヤフラムが固定されている。又、該吸気弁体は下方への回動が該揺動体の上面により制御され、且つ、上方へ回動自在に形成されている。
【０００４】
そして、該ダイヤフラムの下面が上昇した際には、前記吸気弁体は該ダイヤフラム内が前記小型ポンプのケース内に於いて高圧になるので、前記揺動体の上面に密接して該ダイヤフラムの貫通孔を閉塞する。従って、該ダイヤフラム内のエアが該ダイヤフラムの排気弁部より排気される。
【０００５】
又、該ダイヤフラムの下面が下降したときには、該ダイヤフラム内が負圧となるので、該ダイヤフラムの吸気弁体は上方に回動して前記貫通孔を開放する。従って、該ダイヤフラム内へエアが吸気される。一方、前記揺動体は該揺動体の中心軸を回転体に偏心して枢着されている。従って、該回転体を駆動することにより、該揺動体本体は上下に揺動するように構成されている。
【０００６】
而して、前記回転体を駆動することにより前記揺動体が上下に揺動するので、前記ダイヤフラムの下面が上下動する。該下面が上昇したダイヤフラムは、該ダイヤフラム内が高圧となるので、該ダイヤフラムの吸気弁体が閉塞して該ダイヤフラムの排気弁部より該小型ポンプの排気孔を介して外方へエアが排気される。又、該ダイヤフラムの下面が下降した際には、該ダイヤフラム内が負圧となるので、該ダイヤフラムの吸気弁体が上方へ回動して貫通孔を開放する。従って、該ダイヤフラム内にエアが吸入される。
【０００７】
斯くして、該小型ポンプを駆動することにより、該ダイヤフラム内にエアを順次吸気し、且つ、該ダイヤフラム内のエアを排出してポンプの動作を成す（特許文献１参照）。
【特許文献１】特開２００２−５０２９号公報
【発明の開示】
【発明が解決しようとする課題】
【０００８】
上述した従来の小型ポンプは、該小型ポンプを起動することにより、揺動体が揺動してダイヤフラムの下面を上下動させる。そして、該ダイヤフラムを設けた吸気弁体が開閉してエアを吸排気するように構成されている。しかし、該吸気弁体が揺動体の上面に圧接して貫通孔を閉塞した後、該吸気弁体が上方へ回動して該貫通孔を開放する際には、該吸気弁体と揺動体とが密着するため、該吸気弁体の開放の際に騒音が発生する。又、ダイヤフラムの負圧時に吸気弁体の開きが遅いのでダイヤフラム自体が一瞬しわ状になり、吸気弁体の開放と同時に膨らんでペコ音が発生する。更に、かかる騒音をなくするためにダイヤフラムにシボ面を粗く形成することも考えられるが、この場合は空気漏れの原因となり、
加圧時間に影響を来し機能低下の要因となる。
【０００９】
そこで、小型ポンプの機能を低下させることなく、騒音の発生を防止できる小型ポンプを得るために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、ケース内にポンプ室を形成する複数のダイヤフラムを備え、且つ、偏心回転軸により揺動される揺動体によって前記ダイヤフラムが上下動されてポンプ動作を行う小型ポンプであって、前記各ダイヤフラムの底部中央部に貫通孔を形成し、更に、該貫通孔に連通する空気導入孔を前記揺動体に開穿すると共に、該貫通孔に吸気弁体を設けて吸気弁部を構成し、更に、前記ケースの上部に排気弁部を備えた小型ポンプに於いて、該揺動体の上面であって、且つ、前記空気導入孔の周辺部近傍の前記吸気弁体との接触面に凹溝を刻設した小型ポンプを提供する。
【００１１】
この構成によれば、前記揺動体上面に形成した凹溝が、該揺動体と吸気弁体との密着を防止する。
【００１２】
請求項２記載の発明は、ケース内にポンプ室を形成する複数のダイヤフラムを備え、且つ、偏心回転軸により揺動される揺動体によって前記ダイヤフラムが上下動されてポンプ動作を行う小型ポンプであって、前記各ダイヤフラムの底部中央部に貫通孔を形成し、更に、該貫通孔に連通する空気導入孔を前記揺動体に開穿すると共に、該貫通孔に吸気弁体を設けて吸気弁部を構成し、更に、前記ケースの上部に排気弁部を備えた小型ポンプに於いて、該吸気弁体の裏面であって、且つ、前記空気導入孔の周辺部との接触面に凹溝を刻設した小型ポンプを提供する。
【００１３】
この構成によれば、前記吸気弁体の裏面に形成した凹溝が、該吸気弁体と前記揺動体上面との密着を防止する。
【００１４】
請求項３記載の発明は、前記凹溝を６角以上の多角形に形成した請求項１又は２記載の小型ポンプを提供する。
【００１５】
この構成によれば、該凹溝を６角以上の多角形に形成しているので、前記吸気弁体の中心に位置する空気導入孔から該凹溝までの距離が均等となる。従って、該吸気弁体が揺動体上面より円滑に離間する。
【００１６】
請求項４記載の発明は、前記凹溝を円形に形成した請求項１又は２記載の小型ポンプを提供する。
【００１７】
この構成によれば、該凹溝を円形に形成しているので、前記吸気弁体の中心に位置する揺動体の空気導入孔より該凹溝までの距離が均等となる。従って、該吸気弁体が更に円滑に揺動体上面より離間する。
【００１８】
請求項５記載の発明は、ケース内にポンプ室を形成する複数のダイヤフラムを備え、且つ、偏心回転軸により揺動される揺動体によって前記ダイヤフラムが上下動されてポンプ動作を行う小型ポンプであって、前記各ダイヤフラムの底部中央部に貫通孔を形成し、更に、該貫通孔に連通する空気導入孔を前記揺動体に開穿すると共に、該貫通孔に吸気弁体を設けて吸気弁部を構成し、更に、前記ケースの上部に排気弁部を備えた小型ポンプに於いて、該揺動体の上面であって、且つ、前記空気導入孔の周辺部近傍の前記吸気弁体との
接触面に多数の小径の窪みを規則的に或いは不規則に形成した小型ポンプを提供する。
【００１９】
この構成によれば、前記揺動体上面に形成した窪みが、前記吸気弁体と該揺動体上面との密着を防止する。
【００２０】
請求項６記載の発明は、ケース内にポンプ室を形成する複数のダイヤフラムを備え、且つ、偏心回転軸により揺動される揺動体によって前記ダイヤフラムが上下動されてポンプ動作を行う小型ポンプであって、前記各ダイヤフラムの底部中央部に貫通孔を形成し、更に、該貫通孔に連通する空気導入孔を前記揺動体に開穿すると共に、該貫通孔に吸気弁体を設けて吸気弁部を構成し、更に、前記ケースの上部に排気弁部を備えた小型ポンプに於いて、該吸気弁体の裏面に多数の小径の窪みを規則的に或いは不規則に形成した小型ポンプを提供する。
【００２１】
この構成によれば、該吸気弁体の裏面に形成した多数の窪みが該吸気弁体と前記揺動体上面との密着を防止する。
【発明の効果】
【００２２】
請求項１の発明は、小型ポンプの揺動体の上面であって、且つ、該揺動体の空気導入孔近傍の吸気弁体との接触面に凹溝を形成しているので、該揺動体の上面と該吸気弁体とが密着することなく、吸気弁体の開閉動作が迅速に行われると共に、小型ポンプの駆動時における騒音の発生を防止でき、且つ、効率良き弁作用が期待できるので高品質の小型ポンプを得ることができる。
【００２３】
請求項２の発明は、ダイヤフラムの吸気弁体に下面に凹溝を形成しているので、該吸気弁体と揺動体上面とが密着することがなく、請求項１記載の発明と同様の効果を奏することができる。
【００２４】
請求項３記載の発明は、前記凹溝を６角以上の多角形に形成したので、該凹溝の中心にある空気導入孔より該凹溝の位置を均等に配置することができることにより、吸気弁体が揺動体から円滑に離間することができる。
【００２５】
請求項４記載の発明は、前記凹溝を円形に形成したので上記請求項１又は２記載の発明の効果に加え、該凹溝の中心にある空気導入孔より該凹溝の位置を均等に配置することができるので、該吸気弁体が該揺動体から円滑に離間することができる。従って、該小型ポンプの騒音を更に効果的に防止することができる。
【００２６】
請求項５記載の発明は、小型ポンプの揺動体の上面であって、且つ、該揺動体の空気導入孔近傍の吸気弁体との接触面に窪みを形成しているので、該揺動体の上面と該吸気弁体とが密着することなく効率良き弁作用が行われて請求項１又は２記載の発明と同様の効果を奏することができる。
【００２７】
請求項６記載の発明は、ダイヤフラムの吸気弁体に裏面に窪みを形成しているので、該吸気弁体と前記揺動体上面とが密着することがなく、効率良き弁作用が行われて請求項１又は２記載の発明と同様の効果を奏することができる。
【発明を実施するための最良の形態】
【００２８】
小型ポンプが駆動する際に発生する騒音を防止するという目的を、該小型ポンプの吸気弁体裏面或いは揺動体の該吸気弁体に接触する部位に凹溝を形成したことにより実現した。
【実施例】
【００２９】
以下、本発明の一実施例を図１乃至図１０に従って説明する。
【００３０】
図１は小型ポンプ１の縦断面図であり、該小型ポンプ１は平面視長方形のケース２にポンプ室３，３を形成するダイヤフラム４，４が設けられ、該ダイヤフラム４，４の下部中心部には中空状取付体５，５が下方に突設して設けられ、該ダイヤフラム４，４の下方には該ダイヤフラム４，４の下面を上下動させる揺動体６が配設されている。
【００３１】
尚、前記ケース２は上ケース２ａと、中ケース２ｂ及び、下ケース２ｃの３段に形成され、前記ダイヤフラム４，４は該ダイヤフラム４，４の鍔部４ａ，４ａ…が前記上ケース２ａと前記中ケース２ｂとの間に挟着されて前記ケース２２に保持されている。
【００３２】
更に、該揺動体６には該揺動体６の周辺部近傍であって、且つ、夫々のダイヤフラム４，４の中央部下方に、軸体７，７が上方に突設されると共に、該軸体７，７には空気導入孔７ａ，７ａが開穿されている。そして、該ダイヤフラム４，４に形成された前記中空状取付体５，５の内側面を該軸体７，７の外側面に密嵌して前記揺動体６に該ダイヤフラム４，４が取り付けられる。
【００３３】
又、該ダイヤフラム４，４の底部中央を一部切欠して吸気弁体８，８が上下回動自在に形成されると共に、該ダイヤフラム４，４の底部中央に貫通孔９，９が形成される。そして、該吸気弁体８，８を該貫通孔９，９を開放閉塞自在に形成して吸気弁部Ｖ１，Ｖ１が構成される。
【００３４】
更に、揺動体６の中心部には該揺動体６を偏心して回転させる偏心回転軸１０が貫通して固着されている。又、該揺動体６の上方に前記中ケース２ｂが延設されると共に、この延設部１１の下部に下方を開放する凹部１２が形成されている。一方、前記下ケース２ｃの下部には回転駆動軸１３が左右回動自在に装着され、且つ、該回転駆動軸１３の上端部に回転体１４が固設されている。そして、該回転体１４の上面であって、且つ、該回転体１４の中心から離間した位置に凹部１５が形成されている。更に、前記揺動体６の回転軸１０の上下端部を、前記中ケース２ｂの凹部１２及び該回転体１４の凹部１５に遊嵌している。
【００３５】
又、前記上ケース２ａの中央部には排気孔１６が開穿されると共に、該上ケース２ａの下面部の外周に該排気孔１６と連通する環状溝１７，１７が設けられている。該環状溝１７，１７は下方に開放され、且つ、該環状溝１７，１７の内側面１７ａ，１７ａに前記ダイヤフラム４，４の上端部から成る排気弁体１８，１８を圧接させて排気弁部Ｖ２，Ｖ２を構成している。
【００３６】
図２及び図３は前記揺動体６の軸体７を示し、該軸体７の上面には同心状に形成された円形の凹溝１９，１９…が刻設されている。該凹溝１９，１９…は、該軸体７に開穿した空気導入孔７ａを中心として形成されると共に、該凹溝１９，１９…は該空気導入孔７ａ近傍であって、且つ、前記吸気弁体８に接触する部位に形成されている。
【００３７】
而して、前記回転駆動軸１３を駆動して前記回転体１４を回転させれば、該回転体１４に形成された凹部１５に下端部が遊嵌された前記偏心回転軸１０が回転するので、前記揺動体６が揺動して前記ダイヤフラム４，４の下面が上下動する。
【００３８】
そして、該ダイヤフラム４の下面が降下したときには、該ダイヤフラム４内が負圧となり、前記排気弁体１８は前記環状溝１７の内側面１７ａに密着する。即ち、前記排気弁部Ｖ２は閉塞し、且つ、前記吸気弁体８は上方へ回動して前記貫通孔９を閉塞状態から開放
する。従って、前記空気導入孔７ａを介して該ダイヤフラム４内へエアが吸気される。このときは、該揺動体６の軸体７上面に同心円状の凹溝１９，１９…を形成しているので、該凹溝１９，１９…には夫々各別に空気が滞留しており、該軸体７上面と該吸気弁体８の裏面とが密着することはない。従って、該ダイヤフラム４の負圧時に吸気弁体８の開きも迅速に行われることとなり、該吸気弁体８が該軸体７の上面より早急に離間し、斯くして、該吸気弁体８の離間時に騒音が発生することはない。
【００３９】
又、前記ダイヤフラム４の下面が上昇した際には、該ダイヤフラム４内が高圧となり、該吸気弁体８が下方へ回動して該揺動体６の軸体７上面を圧接するので、該吸気弁体８が該貫通孔９を閉塞する。従って、吸気弁部Ｖ１が閉状態となると共に、前記排気弁体１８が前記環状溝１７の内側面１７ａより拡開して前記排気弁部Ｖ２よりエアが外方へ排気される。このときは、前記吸気弁体８が前記揺動体６の軸体７上面を圧接しているので、確実に前記吸気弁部Ｖ１を閉塞することができる。斯くして、前記小型ポンプ１を駆動することにより該小型ポンプ１がポンプ作用を成すことができる。
【００４０】
図４及び図５は、請求項２記載の発明の実施例を示し、前記吸気弁体８の下面に凹溝２０，２０…を形成している。従って、この実施例に於いても該吸気弁体８が前記揺動体６の軸体７より円滑に離間するので、請求項１記載の発明と同様の作用効果を奏する。
【００４１】
又、図２乃至図５の発明は、凹溝１９，１９…、２０，２０…を円形に形成しているので、該凹溝１９，１９…、２０，２０…から中心に位置する空気導入孔７ａの距離が均等となり、前記吸気弁体８が前記揺動体６の軸体７上面より円滑に離間することができ、前述と全く同様の作用効果を奏する。
【００４２】
一方、図６は請求項３記載の発明の実施例を示し、該揺動体６の軸体７上面に６角形の凹溝２１，２１…を形成している。該凹溝２１，２１…を多角形に形成していることから、前述と同様に該凹溝２１，２１…の中心に位置する空気導入孔７ａから該凹溝２１，２１…の距離が均等に配置されるので、前記吸気弁体８が該軸体７上面より円滑に離間し、前述と全く同様の作用効果を奏する。
【００４３】
図７及び図８は、請求項５記載の発明の実施例を示し、前記揺動体６の軸体７上面に小径であって、且つ、多数の窪み２２，２２…を刻設している。この実施例に於いても、前述と同様に前記吸気弁体８は円滑に該軸体７の上面より離間して前記小型ポンプ１の騒音を防止する等、請求項１又は２記載の発明と同様の作用効果を奏する。
【００４４】
図９及び図１０は、請求項６記載の発明の実施例を示し、前記吸気弁体８の裏面に小径で多数の窪み２３，２３…を刻設している。従って、該窪み２３，２３…を形成することにより、該吸気弁体８と前記揺動体６の軸体７上面との接触面積を減少させているので、該吸気弁体８と該軸体７上面とが密着することはなく、該吸気弁体８が該軸体７上面より円滑に離間することができ、従って、前述と同様の作用効果を奏することができる。
【００４５】
尚、該窪み２２，２２…、２３，２３…は不規則に刻設されたものに限定するべきではなく、規則的に刻設することもできる。又、本発明は、本発明の精神を逸脱しない限り種々の改変を為すことができ、そして、本発明が該改変されたものに及ぶことは当然である。
【図面の簡単な説明】
【００４６】
【図１】小型ポンプの縦断面図。
【図２】軸体の平面図。
【図３】軸体の縦断面図。
【図４】吸気弁体の裏面図。
【図５】吸気弁体の縦断面図。
【図６】請求項３の発明を示し、６角形の凹溝を刻設した軸体の平面図。
【図７】請求項５の発明を示し、多数の窪みを形成した軸体の平面図。
【図８】請求項５の発明を示し、多数の窪みを形成した軸体の縦断面図。
【図９】請求項６の発明を示し、多数の窪みを形成した吸気弁体の裏面図。
【図１０】請求項６の発明を示し、多数の窪みを形成した軸体の縦断面図。
【符号の説明】
【００４７】
１          小型ポンプ
２          ケース
３          ポンプ室
４          ダイヤフラム
６          揺動体
７ａ        空気導入孔
８          吸気弁体
９          貫通孔
１０          偏心回転軸
１９，２０    凹溝
２１          凹溝
２２          窪み
２３          窪み
【図１】
2006009769.tif 000002
【図２】
2006009769.tif 000003
【図３】
2006009769.tif 000004
【図４】
2006009769.tif 000005
【図５】
2006009769.tif 000006
【図６】
2006009769.tif 000007
【図７】
2006009769.tif 000008
【図８】
2006009769.tif 000009
【図９】
2006009769.tif 000010
【図１０】
2006009769.tif 000011